(57)【要約】【課題】  作業ミスを低減でき、残存油量を容易にチェックでき、製造コストが低くて、寸法を小さくすること。【解決手段】  コネクターと、レールと、浮きとを含み、リニア・システムの潤滑装置に取付けられ、前記潤滑装置内には液体貯蔵空間を有する液体レベル警報用浮きの構造において、前記コネクターは、潤滑装置に取付けられ、一端が外部の予定装置に接続され、他端が潤滑装置の液体貯蔵空間に接続され、前記レールは、前記潤滑装置の液体貯蔵空間内に定位され、一端が前記コネクターに対応して定位され、他端には止め金が設けてあり、前記浮きは、前記レールに摺動自在に設けられ、前記コネクターの開閉を制御し、その比重は液体よりも小さいことを特徴とする。【選択図】  図２
2007010618.tif 000002
【特許請求の範囲】
【請求項１】
コネクターと、レールと、浮きとを含み、リニア・システムの潤滑装置に取付けられ、前記潤滑装置内には液体貯蔵空間を有する液体レベル警報用浮きの構造において、
前記コネクターは、潤滑装置に取付けられ、一端が外部の予定装置に接続され、他端が潤滑装置の液体貯蔵空間に接続され、
前記レールは、前記潤滑装置の液体貯蔵空間内に定位され、一端が前記コネクターに対応して定位され、他端には止め金が設けてあり、
前記浮きは、前記レールに摺動自在に設けられ、前記コネクターの開閉を制御し、その比重は液体よりも小さいことを特徴とする、
液体レベル警報用浮きの構造。
【請求項２】
前記コネクターは、回路用コネクターであり、潤滑装置の壁面に取付けられ、その一端は金属端子で外部の予定装置に接続され、且つ液体貯蔵空間に接続された他端には電気的に接続する素子とする金属板を有し、
前記レールは、シャフト状物であり、その一端が回路用コネクターに連接され、前記金属板に対応し、
前記浮きは、貫通孔が開設された円柱体であり、前記貫通孔はレールの断面積よりも大きく、前記貫通孔によってレールに嵌め設け、その底面には導電性を持つ金属片が貼り付けてあり、前記金属片が回路用コネクターの金属板に対応することを特徴とする、請求項１に記載の液体レベル警報用浮きの構造。
【請求項３】
前記コネクターは、光線遮断用コネクターであり、液体貯蔵空間に応じて突出端が二つ設けてあり、一つの突出端は赤外線発光器であり、他の突出端は赤外線受光器であり、前記浮きは液体のレベルに従って上下移動し赤外線を遮断することを特徴とする、請求項１に記載の液体レベル警報用浮きの構造。
【請求項４】
前記回路用コネクターは、液体貯蔵空間に対応する一端には電気的に接続する素子とし半円形状を呈する金属板が二つ設けてあり、前記レールの一端が二つの前記金属板の間に定位されることを特徴とする、請求項２に記載の液体レベル警報用浮きの構造。
【請求項５】
ボールネジのナットに適用されることを特徴とする、請求項１、２又は３に記載の液体レベル警報用浮きの構造。
【発明の詳細な説明】
【技術分野】
【０００１】
本発明は、液体レベル警報用浮きの構造に係り、特に、ボールネジのナット又はリニアガイドウェーの端部の潤滑装置に適用され、潤滑液体の残量を精確に表示できる液体レベル警報用浮きの構造に関するものである。
【背景技術】
【０００２】
一般の市販しているボールネジの両端またはリニアガイドウェーのブロックの両端には潤滑液体を貯蔵するための潤滑オイルタンクが設けてある。図１に示すのは従来のボールネジ１０とオイルタンク１１の相対位置を示すもので、従来のボールネジ１０はオイルタンク１１内に貯蔵される潤滑油によって適当な箇所を持続に潤滑する。
【発明の開示】
【発明が解決しようとする課題】
【０００３】
しかしながら、これは次のような欠点があった。
（１）ボールネジ１０とオイルタンク１１との体積は極めて小さいので、残存油量のチェックは極めて不便であり、且つ目で残存油量をチェックする場合には、見逃がすことがよくあった。
【０００４】
（２）目下、残存油量を表示する装置は二種類ある。その一つは超音波によって液面を測定する方法であり、もう一つは圧力計を容器の底端に取付ける方法である。しかしながら、これらの方法は、部品が複雑であり、製造コストが高く、ミニタイプのオイルタンクに適用することができなく、且つ上記測定装置の体積は大きいので、ミニタイプのオイルタンクに取付けることが困難であり、且つ全体機構の作動に悪影響を与える。
【０００５】
（３）従来のものは、定期にオイルタンクの残存油量をチェックすることが必要であるので、使用は極めて不便であった。
【０００６】
本発明の主な目的は、作業ミスを低減でき、残存油量を容易にチェックできる液体レベル警報用浮きの構造を提供する。
【０００７】
本発明の次の目的は、製造コストが低くて、寸法が小さい液体レベル警報用浮きの構造を提供する。
【課題を解決するための手段】
【０００８】
上記の目的を達成するためになされた本願の発明は、コネクターと、レールと、浮きとを含み、リニア・システムの潤滑装置に取付けられ、前記潤滑装置内には液体貯蔵空間を有する液体レベル警報用浮きの構造において、前記コネクターは、潤滑装置に取付けられ、一端が外部の予定装置に接続され、他端が潤滑装置の液体貯蔵空間に接続され、前記レールは、前記潤滑装置の液体貯蔵空間内に定位され、一端が前記コネクターに対応して定位され、他端には止め金が設けてあり、前記浮きは、前記レールに摺動自在に設けられ、前記コネクターの開閉を制御し、その比重は液体よりも小さいことを特徴とする液体レベル警報用浮きの構造であることを要旨としている。
【０００９】
本願の発明では、前記コネクターは、回路用コネクターであり、潤滑装置の壁面に取付けられ、その一端は金属端子で外部の予定装置に接続され、且つ液体貯蔵空間に接続された他端には電気的に接続する素子とする金属板を有し、前記レールは、シャフト状物であり、その一端が回路用コネクターに連接され、前記金属板に対応し、前記浮きは、貫通孔が開設された円柱体であり、前記貫通孔はレールの断面積よりも大きく、前記貫通孔によってレールに嵌め設け、その底面には導電性を持つ金属片が貼り付けてあり、前記金属片が回路用コネクターの金属板に対応することを特徴とする請求項１に記載の液体レベル警報用浮きの構造であることを要旨としている。
【００１０】
本願の発明では、前記コネクターは、光線遮断用コネクターであり、液体貯蔵空間に応じて突出端が二つ設けてあり、一つの突出端は赤外線発光器であり、他の突出端は赤外線受光器であり、前記浮きは液体のレベルに従って上下移動し赤外線を遮断することを特徴とする請求項１に記載の液体レベル警報用浮きの構造であることを要旨としている。
【００１１】
本願の発明では、前記回路用コネクターは、液体貯蔵空間に対応する一端には電気的に接続する素子とし半円形状を呈する金属板が二つ設けてあり、前記レールの一端が二つの前記金属板の間に定位されることを特徴とする請求項２に記載の液体レベル警報用浮きの構造であることを要旨としている。
【００１２】
本願の発明では、ボールネジのナットに適用されることを特徴とする請求項１、２又は３に記載の液体レベル警報用浮きの構造であることを要旨としている。
【発明の効果】
【００１３】
本発明に係る液体レベル警報用浮きの構造によれば、作業ミスを低減でき、残存油量を容易にチェックでき、製造コストが低くて、寸法が小さくて済むという利点が得られる。
【発明を実施するための最良の形態】
【００１４】
以下、添付図面を参照して本発明の好適な実施の形態を詳細に説明する。
【００１５】
まず、図２乃至図４を参照する。本発明の実施例１に係る液体レベル警報用浮きの構造は、回路用コネクター２０と、レール３０と、浮き４０となどから構成される。
【００１６】
前記回路用コネクター２０は、潤滑装置Ａの壁面に取付けられ、その一端はコラム形状を呈する二つの金属端子２１で外部の予定装置（例えばブザーや制御システムやランプ）に直列接続され、図４に示すように、液体貯蔵空間Ｂに接続された他端には電気的に接続する素子とし半円形状を呈する金属板２２が二つ設けてあり、
【００１７】
前記レール３０は、潤滑装置Ａの液体貯蔵空間Ｂ内に定位されたシャフト状物であり、その一端が回路用コネクター２０に連接され、前記金属板二つの前記金属板２２の間に位置し、他端には止め金３１が設けてあり、
【００１８】
前記浮き４０は、貫通孔４１が開設された円柱体であり、前記貫通孔４１はレール３０の断面積よりも大きく、前記貫通孔４１によってレール３０に嵌め設け、その底面には導電性を持つ金属片４２が貼り付けてあり、前記金属片４２が回路用コネクター２０の金属板２２に対応し、且つ浮き４０の比重は潤滑用の液体Ｃよりも小さい。
【００１９】
また、図４と図５に示すのは、本発明の作動原理を示す概略図である。
【００２０】
本発明は、浮き４０の貫通孔４１と止め金３１とによってレール３０に嵌め設け、且つ浮き４０の底面には導電性を持つ金属片４２が貼り付けてあり、前記金属片４２が回路用コネクター２０の金属板２２に対応するので、潤滑装置Ａの液体貯蔵空間Ｂ内に一定残量の液体Ｃを有する場合には、浮き４０の比重は潤滑用の液体Ｃよりも小さいので、浮き４０が液体Ｃの液面に浮き上がり、だから、浮き４０の底面に貼り付けた金属片４２は回路用コネクター２０の二つの半円形状を呈する金属板２２と電気的に接触しなく、警告状態に成らない。
【００２１】
また、液体Ｃの残量が低下になり、すなわち、液体Ｃの液面が潤滑装置Ａの液体貯蔵空間Ｂの底部に近接する場合には、浮き４０が液体Ｃの液面と一緒に降下して、浮き４０の底面に貼り付けた金属片４２は回路用コネクター２０の二つの半円形状を呈する金属板２２と電気的に接触して、回路用コネクター２０は潤滑装置Ａの壁面に取付けられ、且つ回路用コネクター２０は金属端子２１によって信号が外部の予定装置（例えばブザーや制御システムやランプ）に伝送されて警告状態に成る。
【００２２】
また、本発明は従来の液体レベル表示器と比較して、構成がより単純で活動空間が小さいので、装置全体の体積が小さくなり、実際には、本発明全体の体積は直径１５mm、高さ２０mmのコラム形状のものに作製することができ、この寸法で、浮きの重量が始めて充分であり作動可能になり、すなわち、浮きは油膜を破壊して回路用コネクターと緊密に接触し回路をオンにする。
【００２３】
また、図６乃至図８を参照する。本発明の寸法をもっと小さくする場合には、接触式の回路用コネクター２０の代わりに光線遮断用コネクター５０を採用し、光線遮断用コネクター５０は、よく見られる電子部品であり、液体貯蔵空間Ｂに応じて突出端が二つ設けてあり、一つの突出端は赤外線発光器５１であり、他の突出端は赤外線受光器５２であり、平常時に赤外線発光器５１と赤外線受光器５２との間には赤外線が通過でき（図７に示すように、浮き４０が浮き上がった状態）、浮き４０が降下したときに、図８に示すように、赤外線発光器５１と赤外線受光器５２との間に赤外線が遮断され、このとき、金属端子２１によって信号が外部の予定装置（例えばブザーや制御システムやランプ）に伝送されて警告状態に成る。
【００２４】
本発明に係る光線遮断用コネクター５０によれば、浮き４０の重量に係らずに作動できる。実際には、全体の体積は１０mm立方の大きさにすることができるので、本発明は小型化で低コストの製品である。
【００２５】
本発明は、同様のように無線伝送を採用してもよく、コラム形状の金属端子の代わりに回路用コネクター２０内に受信素子を取付けてもよく、受信素子の無線伝送によって信号が外部の予定装置（例えばブザーや制御システムやランプ）に伝送され、だから、本発明の信号伝送方法は、無線伝送でもいいし、有線でもよく、その設計の変化は全て従来技術を採用し、これらの全ては本発明の特許請求範囲に属する。
【００２６】
また、本発明に係る浮きと回路とは従来の技術を採用し、本発明の構成の他の詳細は下記に纏める。
【００２７】
（１）浮きと電子回路とにより、液面状態は機械方式によってを入力して電子方式によって出力し、潤滑液体の残量が表示され、だから、本発明は小型化で低コストの長所を有する。
【００２８】
（２）液面の高さによってオイルタンク内の浮きがアラム回路を開閉し、浮きは比重のより小さい素材を採用すると、浮きが液面に浮き上がり、接触式回路を採用する場合には、オイルタンクの底部に導電性素材を採用することが必要であり、光線遮断用コネクター５０を採用する場合には、オイルタンクの底部に導電性素材を採用することが必要なくなる。
【００２９】
（３）回路用コネクターは、一般の回路におけるスイッチに相当し、浮きが警報位置に位置するときにスイッチがオープン状態であり、平常時にスイッチはオフ状態である。接触式回路を採用する場合には、回路用コネクター２０は導電性材料で作製されたことが必要であり、また光線遮断用コネクター５０を採用する場合には、回路用コネクターは導電性材料で製作する必要がない。
【図面の簡単な説明】
【００３０】
【図１】従来のものの概略図である。
【図２】本発明の組合状態の斜視図である。
【図３】本発明に係る潤滑装置の部材の斜視図である。
【図４】本発明の使用状態を示す概略図である。
【図５】本発明の他の使用状態を示す概略図である。
【図６】本発明の他の実施例の斜視図である。
【図７】本発明の他の実施例の使用状態を示す概略図である。
【図８】本発明の他の実施例の他の使用状態を示す概略図である。
【符号の説明】
【００３１】
１０      ボールネジ                １１      オイルタンク
Ａ        潤滑装置                  Ｂ        液体貯蔵空間
Ｃ        液体
２０      回路用コネクター          ２１      金属端子
２２      金属板
３０      レール                    ３１      止め金
４０      浮き                      ４１      貫通孔
４２      金属片
５０      光線遮断用コネクター      ５１      赤外線発光器
５２      赤外線受光器              ５３      金属端子
【図１】
2007010618.tif 000003
【図２】
2007010618.tif 000004
【図３】
2007010618.tif 000005
【図４】
2007010618.tif 000006
【図５】
2007010618.tif 000007
【図６】
2007010618.tif 000008
【図７】
2007010618.tif 000009
【図８】
2007010618.tif 000010